(57)【特許請求の範囲】
【請求項１】
ケース本体と、該ケース本体内に収納配置される遮熱板と、該遮熱板内に配置される加熱源と、該加熱源の上方に載置されるプレートと、温度調節器と、該温度調節器を支持する受けカバーと、該受けカバーを取り付けるための取付板とを有するホットプレートであって、
前記遮熱板は係止溝を有し、
前記取付板は係止片を有し、
前記遮熱板と前記取付板との取り付けは、一部が固定で、その他が前記係止片と前記係止溝による係止であり、
前記遮熱板の外面に前記取付板を介して受けカバーを取り付け、前記遮熱板と前記加熱源と前記受けカバーとを一体で前記ケース本体に対し着脱自在にすることを特徴とするホットプレート。
【発明の詳細な説明】
【技術分野】
【０００１】
ホットプレートは、外郭を構成し底部に脚を有するケース本体と、ケース本体の内側に収納され、ヒーターからの熱がケース本体に伝わるのを遮断するためのほぼ皿形状の遮熱板と、その遮熱板の内側に配置されるヒーターと、そのヒーターの上方にセットされる調理物を調理するためのプレートと、ヒーターに取り付けられ温度調節器を着脱自在に支持する受けカバーとを有し、温度調節器を受けカバーに装着することによりヒーターに通電し、プレート上の肉等の調理物を加熱調理するものである。
【０００２】
ところで、従来、ヒーター固定型のホットプレートが知られている。このホットプレートは、ヒーター、遮熱板及びケース本体が一体となっており、温度調節器が挿着される受けカバーは、ケース本体に取り付けられていた。しかし、このようなタイプのものは各部品を取り外し清掃並びに交換等を行うことが容易でないという問題を有していた。また、例え、各部品を取り外し自在にしたとしても温度調節器が挿着される受けカバーがケース本体に取り付けられているため、遮熱板を取り外すとヒーター端子が外部に露出し、該ヒーター端子が保護されなくなるという問題が発生した。
【０００３】
このような問題を解決するものとしてヒーターと受けカバーとを一体のヒーターユニットにし、各部品を取り外し自在にするものが既に提案されている。その例のものを図１０に示す。概略を説明すると、該ホットプレート１は、外郭を構成するケース本体２と、ヒーター４からの熱がケース本体２に伝わるのを遮断するための遮熱板３と、その遮熱板３の内側に配置されるヒーター４と、ヒーター４に取り付けられ感熱棒５ａを有する温度調節器５と、温度調節器５を着脱自在に支持する受けカバー６と、ヒーター４の上方にセットされ調理物を調理するためのプレート７とを有し、ヒーター４と受けカバー６とを一体のヒーターユニット８にする。そして、受けカバー６に上下動可能な開閉部材９を設け、受けカバー６がケース本体２に載置され、且つケース本体２上にプレート７が載せられた場合に受けカバー６の開閉部材９が開放し、温度調節器５の感熱棒５ａを受けカバー６内に挿入可能にするものである。そして、例えば、小さな子供が悪戯でヒーター４に取り付けられた受けカバー６に通電状態にある温度調節器５を差し込むことが考えられるが、前記開閉部材９という新たな安全装置を設けることにより、そのような問題の発生が防止される。
【０００４】
ところが、このものはヒーター端子が外部に露出しないという利点はあるものの、開閉部材９という新たな安全装置が必要になり、それだけコストが嵩むという問題を有している（例えば、特許文献１参照）。
【特許文献１】特開２００２−２０９７５５
【発明の開示】
【発明が解決しようとする課題】
【０００５】
本願発明は、遮熱板をケース本体に対し着脱自在にするとともに、遮熱板の外面に取付板を介して受けカバーを取り付けることにより、ケース本体から遮熱板を取り外す際に、ヒーター端子が外部に露出しないようにし、且つ特に新たな安全装置を不要にしてなるホットプレートの受けカバー取付構造を提供することを目的にするものである。
【課題を解決するための手段】
【０００６】
上記目的を達成するため、本願発明は以下の構成を採用する。
【０００７】
請求項１に係る発明では、ケース本体と、該ケース本体内に収納配置される遮熱板と、該遮熱板内に配置される加熱源と、該加熱源の上方に載置されるプレートと、温度調節器と、該温度調節器を支持する受けカバーと、該受けカバーを取り付けるための取付板とを有するホットプレートであって、前記遮熱板は係止溝を有し、前記取付板は係止片を有し、前記遮熱板と前記取付板との取り付けは、一部が固定で、その他が前記係止片と前記係止溝による係止であり、前記遮熱板の外面に前記取付板を介して受けカバーを取り付け、前記遮熱板と前記加熱源と前記受けカバーとを一体で前記ケース本体に対し着脱自在にする構成。そして取付板を介して受けカバーを取り付けることにより受けカバーの取り付け強度が高まり、また、ケース本体から遮熱板を取り外したとしてもヒーター端子が外部に露出しなくなる。更に、ヒーター自体も遮熱板に取り付けることができるため、新たな安全装置は不要になる。
【発明の効果】
【００１０】
請求項１に係る発明では、遮熱板と前記取付板との取り付けを、一部の固定と、係止片と係止溝による係止とし、遮熱板の外面に取付板を介して受けカバーを取り付け、遮熱板と加熱源と受けカバーとを一体にしてケース本体に対し着脱自在にすることにより、受けカバーの取り付け強度を高めることができるため、それだけ受けカバーの信頼性を高めることができる。また、ケース本体から遮熱板を取り外したとしてもヒーター端子が外部に露出しなくなるため、取り外した端子が物に当たり変形する恐れをなくすことができ、取り外したヒーターを再度受けカバーに取り付ける手間を省くこともできる。更に、ヒーター自体を遮熱板に取り付けることにより新たな安全装置を不要にでき、生産コストの高騰を抑制することができる。更にまた、受けカバーと取付板とを一つのユニットとして扱うことにより、他のホットプレートとの共用を可能にすることができる。更にまた、衝撃力Ｆを吸収することができるようになる。
【００１１】
また、遮熱板の外面と取付板との間に空隙を形成することにより、遮熱板の高熱が直接受けカバーに伝達され、受けカバーが熱劣化する弊害を防止することができる。また、受けカバーの樹脂の温度を耐熱温度内に抑えることができる。
【００１２】
また、取付板の側部に空隙を囲む側部リブを設け、空隙部と外部との空気の移動を抑制することにより、側部からの空気の流れを抑え、空隙内の温度低下を抑制することができるため、感熱棒での温度検知の精度の低下を防止することができ、プレート温度を安定化することができる。
【実施例】
【００１３】
以下、添付の図面を参照して、本願発明の実施の形態について詳述する。
【００１４】
図１に本願発明のホットプレートの全体斜視図を示し、図２にヒーターを取り付けた遮熱板を上方から見た斜視図を示し、図３に遮熱板に受けカバー及び取付板を取り付けた状態を下から見た斜視図を示し、図４に遮熱板に受けカバー及び取付板を取り付ける状態を示す斜視図を示し、図５に遮熱板に取付板を取り付けた状態を示す断面図を示し、図６、７に取付板の斜視図を示し、図８、９に受けカバーの斜視図を示す。
【００１５】
図１に示すようにホットプレートＨは、外郭を構成するケース本体１０と、遮熱板２０と、その遮熱板２０の上方に載置されるプレート３０と、遮熱板２０の内側に配置される加熱源としてのヒーター３２と、該ヒーター３２への通電を制御するための温度調節器３５と、ヒーター３２に取り付けられる受けカバー４０と、この受けカバー４０を遮熱板２０に取り付ける取付板５０等からなる。
【００１６】
ケース本体１０は、樹脂成形品であり、ホットプレートＨの外郭を構成し、平面視矩形状でその全体はほぼ皿状からなり、その底部には複数の脚１１が固定される。またこのケース本体１０の短辺側である左右の両側壁面には、プレート３０の取手３０ａを掴みやすくするための凹嵌部１２、１２が設けられ、図示しないがその底面には空気の流通を促進等させるための大きな開口が設けられる。更にその角部側面には、後記の受けカバー４０が嵌合されるための切欠孔１４が設けられる。この切欠孔１４の形状は、受けカバー４０の外形より若干大きい矩形状とされ、ケース本体１０に遮熱板２０が装着された後では、図１に示すように受けカバー４０の略半分が切欠孔１４から外方に突出する。
【００１７】
前記遮熱板２０は、金属性の薄板をプレス加工により一体形成されるものであり、平面視矩形状でその全体はほぼ皿状からなり、その底部に取り付けられる４個の脚２１を介してケース本体１０内に載置される。その中央には、複数個のヒーター取付片２２がビス２２ａによって取り付けられており、図２に示すようにその先端に形成されるＵ字溝内にヒーター３２を狭持することにより該ヒーター３２を一体的に支持する。
【００１８】
また、遮熱板２０の一角部２７側面には、その中央に温度調節器３５の感熱棒３６が挿入される中央穴２３が設けられ、その中央穴２３の両側には、中央穴２３とほぼ同径で且つヒーター端子３２ａが挿入される側部穴２４、２４が穿設される。更に側部穴２４、２４の両側には、後記取付板５０の係止片５５が係合される略ト字状の係止溝２５が穿設される。該２個の係止溝２５は同じ方向を向いた同じ形状の穴で、図２に示すように高さＤ１の縦長溝２５ａと該縦長の溝２５ａの略中央から水平に伸びる高さｄ１の縦短溝２５ｂとからなる。
【００１９】
更に、遮熱板２０の前記一角部２７側面近傍の底面には、取付板５０を取り付けるための２個のビス穴２６、２６が設けられる。なお、係止溝２５は図２に示すが、更に丸で囲った部分の拡大図を矢印で示すようにその右側に示す。
【００２０】
前記プレート３０は、厚いアルミダイカスト製の部材であり、ケース本体１０と同様の平面視矩形状でその全体はほぼ皿状からなり、その短辺側の両側面には取手３０ａ、３０ａが設けられる。そして、該プレート３０をケース本体１０に載置した際には、取手３０ａ、３０ａはケース本体１０の凹嵌部１２、１２上に位置し、且つその底部は遮熱板２０内に固定されるヒーター３２の上方に位置し、プレート３０でヒーター３２による加熱調理が行われる。
【００２１】
前記ヒーター３２は、平面視略ハート状或いはＹ字状からなるシーズヒーターであり、金属パイプの中にコイル状の電熱線を通し、パイプと電熱線間の接触を防ぐためマグネシアなどの耐熱性の無機質絶縁粉末を詰め、金属パイプの両端を密封した構造からなるもので通常インコロイヒーターとも呼ばれるものである。シーズヒーターはこのような構造を有するため金属パイプは絶縁されておりたとえ金属パイプに触れたとしても感電することはない。そしてヒーター３２の両端部であるヒーター端子３２ａは、温度調節器３５の感熱棒３６の両側に穿設される端子穴３５ａに挿入されることにより通電される。なお、ヒーター３２は、特にシーズヒーターである必要はなく他のヒーターを用いても良い。
【００２２】
前記温度調節器３５は、ヒーター３２への通電量を制御する機能を有する器具であり、その一側面には電線３７が接続され、また他の側面には、遮熱板２０の中央穴２３に挿入される感熱棒３６を有する。また、感熱棒３６の両側には、ヒーター端子３２ａが挿入される端子穴３５ａが設けられ、その上面には温度調節用つまみ３８が設けられており、該温度調節用つまみ３８を回動することにより好みの温度を選択することができる。なお、ホットプレートＨがセットされ、温度調節器３５が受けカバー４０に挿入されると感熱棒３６は、遮熱板２０の中央穴２３より遮熱板２０内のヒーター３２近傍にまで入り込みヒーター３２の温度を検知する。
【００２３】
前記受けカバー４０は、中空状で樹脂製の箱状部材であり、図８にその正面を示し、図９にその背面を示す。その正面側には開口部４１が形成され、開口部４１と反対側の背面は閉鎖面４２とされ、その閉鎖面４２には略同径のカバー中央孔４３とその両側部のカバー側部孔４４、４４が設けられる。また、閉鎖面４２は両側外方に張り出してなる鍔部４５を有し、その鍔部４５には、ビス孔４６が設けられる。更に、閉鎖面４２の裏側には、高さＨ１、横幅Ｒ１の長辺方向に窪んだ凹溝４７が設けられ、受けカバー４０を取付板５０に取り付ける際、該凹溝４７に取付板５０が嵌合される。
【００２４】
前記取付板５０は、受けカバー４０を遮熱板２０に取り付けるためのステンレス製の部材であり、平板をプレス成形で作製される。図６にその正面を示し、図７にその背面を示す。取付板５０は、水平部５１、垂直部５２及び側壁部５３を有する。水平部５１は、その上面が遮熱板２０の底面に当接され、且つビス止めされる水平で略Ｕ字状の部分で、その中央には遮熱板２０の脚２１を避けるための切欠開口５１ａが設けられ、更にその先端近傍にはビス孔５１ｂが設けられる。
【００２５】
垂直部５２は、その背面が受けカバー４０背面の凹溝４７に当接され、且つビス止めされる垂直で方形の部分で、その中央には板中央孔５２ａが設けられ、該板中央孔５２ａの両側には、板中央孔５２ａと同径の板側部孔５２ｂ、５２ｂが穿設され、更に、板側部孔５２ｂ、５２ｂの板中央孔５２ａとは反対側には、ビス孔５２ｃが穿設される。なお、垂直部５２の大きさは受けカバー４０背面の凹溝４７より若干小さい程度である。
【００２６】
側壁部５３は、垂直部５２の両端部より水平部５１方向に直角に折り曲げられた部分であり、図５に示すような幅Ｓで高さ（Ｈ２−Ｗ）の矩形状のリブ５４からなる。Ｗはリブ５４の下端と水平部５１との間に形成される切り込み５６の長さで、該切り込み５６を設けることにより、図５で示すように取付板５０に白抜き矢印で示す方向に力Ｆが加わった場合、矢印で示す支点を中心に垂直部５２は黒塗りの矢印で示すように円弧状に撓み、力Ｆを吸収することができるようになる。前記幅Ｓは遮熱板２０と垂直部５２との間の距離となり、受けカバー４０を取り付けた状態では遮熱板２０と受けカバー４０とを引き離す距離になる。
【００２７】
また、側壁部５３の上端部には、係止片５５がリブ５４より外方に張り出す形態で延設される。係止片５５は、先端突部５５ａと連結部５５ｂとからなる。先端突部５５ａは、上下方向に延びた略楕円状の部分であり、その高さＤ２は遮熱板２０の係止溝２５の縦長溝２５ａの高さＤ１より短くされる。連結部５５ｂは、リブ５４の上端部と先端突部５５ａとをつなぐ部分であり、その高さｄ２は遮熱板２０の係止溝２５の縦短溝２５ｂの高さｄ１より短くされる。
【００２８】
受けカバー４０と取付板５０との取り付けは次のように行われる。受けカバー４０の閉鎖面４２の背面に形成される凹溝４７に、取付板５０の垂直部５２の背面を当接し、受けカバー４０のカバー中央孔４３、カバー側部孔４４、４４及び鍔部４５のビス孔４６、４６を、取付板５０の板中央孔５２ａ、板側部孔５２ｂ、５２ｂおよびビス孔５２ｃ、５２ｃに一致させ、図４に示すようにビス４６ａを受けカバー４０のビス孔４６、４６より挿入し、取付板５０のビス孔５２ｃ、５２ｃに螺合することにより、受けカバー４０と取付板５０とを一体に固定し、受けカバー取付板ユニットＹを形成する。なお、受けカバー４０の凹溝４７に取付板５０の垂直部５２を嵌合する形態で取り付けることができるためその取り付けが容易になる。
【００２９】
次いで、受けカバー取付板ユニットＹを遮熱板２０に取り付ける。その取り付けは次のように行われる。即ち、図４に示すように、遮熱板２０の角部２７に設けられる２つの係止溝２５の縦長溝２５ａに、取付板５０の２つの係止片５５の先端突部５５ａが対向するように受けカバー取付板ユニットＹを位置させ、矢印（１）の方向に受けカバー取付板ユニットＹを押し込む。その際、取付板５０の水平部５１の上面が遮熱板２０の底面に当接するような状態で水平に押し込む。すると、受けカバー取付板ユニットＹは、係止片５５の連結部５５ｂが遮熱板２０の縦短溝２５ｂと同じ高さで対向する。そこで次に矢印（２）の方向に受けカバー取付板ユニットＹを水平にスライドさせる。その結果、係止片５５の連結部５５ｂは、遮熱板２０の縦短溝２５ｂに挿入され支持される。その状態になると、遮熱板２０の底面の２つのビス穴２６と取付板５０の水平部５１の２つのビス孔５１ｂとが一致するため、ビス５７を遮熱板２０内から螺合することにより両部材を固定する。
【００３０】
受けカバー取付板ユニットＹを遮熱板２０に固定すると、遮熱板２０の中央穴２３と 取付板５０の板中央孔５２ａと受けカバー４０のカバー中央孔４３とが一致し、遮熱板２０の側部穴２４と取付板５０の板側部孔５２ｂと受けカバー４０のカバー側部孔４４とが一致する。そして、遮熱板２０の側部穴２４から外方に突出しているヒーター端子３２ａは、受けカバー４０のカバー側部孔４４から図１及び図４に示すように受けカバー４０の開口部４１内に突出する。その結果、カバー中央孔４３、板中央孔５２ａ及び遮熱板２０の中央穴２３より温度調節器３５の感熱棒３６を遮熱板２０内に挿入することができるようになる。角部２７に取付板５０を設けることにより、図４に示すように角部２７の左右のＸ部及びＹ部には必ず空間を形成することができ、これにより角部２７と取付板５０の距離を小さくできコンパクト化を図ることができる。
【００３１】
遮熱板２０及び取付板５０を２つのビス５７により固定すると、遮熱板２０と取付板５０とは、ビス５７による２点固定と、係止片５５による２点支持の形態で取り付けられる。そのため、ケース本体１０から遮熱板２０を取り外した後に、受けカバー取付板ユニットＹに図５で白抜き矢印で示す方向に衝撃力Ｆが加わった場合、仮にビスによる４点固定であれば受けカバー取付板ユニットＹ或いは遮熱板２０が破損乃至変形する恐れがあるところ、２点固定と２点支持にすることにより、受けカバー取付板ユニットＹは、矢印で示す支点を中心に黒塗りの矢印で示すように円弧状に撓むことができ撓むことで衝撃力Ｆを吸収することができるようになる。なお、受けカバー４０も一種の凸型形状であり、受けた衝撃力Ｆを分散させることができる。
【００３２】
取り付けられた後の状態を図５に示す。取り付けられた状態では、受けカバー４０自体は、遮熱板２０より離れて位置するため、遮熱板２０から受けカバー４０への熱伝導は間接的になる。そのため受けカバー４０の材質を高耐熱性のものにする必要はなくなる。
【００３３】
また、取付板５０の両側面のリブ５４は、遮熱板２０と取付板５０との側面を囲う形態になり、遮熱板２０の傾斜した外面と、取付板５０の水平部５１、垂直部５２及びリブ５４との間に縦断面略三角形状の空隙としての内部空間５８を形成する。この内部空間５８により外気が遮断されるため、感熱棒３６近傍の温度低下が抑制され感熱棒３６による温度検知がより正確になる。
【００３４】
本願発明は、上記実施例の構成に限定されるものではなく、発明の要旨を逸脱しない範囲において適宜設計変更可能であり、例えば、受けカバー取付板ユニットＹは、遮熱板２０の角部２７に設けるものとして説明したが、直線状の辺部分に設けても良い。なお、ホットプレートをテーブルの上に置きその周りに人が座る場合、ホットプレートの４辺に対向する位置に座る場合が多く、受けカバー取付板ユニットＹを遮熱板２０の角部２７に設けることにより、人に対して邪魔になることがない。
【図面の簡単な説明】
【００３５】
【図１】本願発明のホットプレートの全体斜視図
【図２】本願発明のヒーターのみを取り付けた遮熱板を上方から見た斜視図
【図３】本願発明の遮熱板に受けカバー及び取付板を取り付けた状態を下から見た斜視図
【図４】本願発明の遮熱板に受けカバー及び取付板を取り付ける状態を示す斜視図
【図５】本願発明の遮熱板に取付板を取り付けた状態を示す断面図
【図６】本願発明の取付板をほぼ正面から見た斜視図
【図７】本願発明の取付板をほぼ背面から見た斜視図
【図８】本願発明の受けカバーをほぼ正面から見た斜視図
【図９】本願発明の受けカバーをほぼ背面から見た斜視図
【図１０】従来のホットプレートの分解断面図
【符号の説明】
【００３６】
Ｈ…ホットプレート      Ｙ…カバー取付板ユニット
１０…ケース本体        １１…脚
１２…凹嵌部            １４…切欠孔
２０…遮熱板            ２１…脚
２２…ヒーター取付片    ２２ａ…ビス
２３…中央穴            ２４…側部穴
２５…係止溝            ２５ａ…縦長溝
２５ｂ…縦短溝          ２６…ビス穴
２７…角部              ３０…プレート
３０ａ…取手            ３２…ヒータ
３２ａ…ヒーター端子    ３５…温度調節器
３５ａ…端子穴          ３６…感熱棒
３７…電線              ３８…温度調節器用つまみ
４０…受けカバー        ４１…開口部
４２…閉鎖面            ４３…カバー中央孔
４４…カバー側部孔      ４５…鍔部
４６…ビス孔            ４６ａ…ビス
４７…凹溝              ５０…取付板
５１…水平部            ５１ａ…切欠開口
５１ｂ…ビス孔          ５２…垂直部
５２ａ…板中央孔        ５２ｂ…板側部孔
５２ｃ…ビス孔          ５３…側壁部
５４…リブ              ５５…係止片
５５ａ…先端突部        ５５ｂ…連結部
５６…切込み            ５７…ビス
５８…内部空間
【図１】
0004687524.tif 000002
【図２】
0004687524.tif 000003
【図３】
0004687524.tif 000004
【図４】
0004687524.tif 000005
【図５】
0004687524.tif 000006
【図６】
0004687524.tif 000007
【図７】
0004687524.tif 000008
【図８】
0004687524.tif 000009
【図９】
0004687524.tif 000010
【図１０】
0004687524.tif 000011